(57)【要約】
【課題】　煙の発生を検知して知らせるとともに、簡便な操作で放水を行って、煙から身を守りつつ避難を行う。
【解決手段】　煙検知器６２が煙を検知すると、非常灯６４が点滅するとともに、警報ブザー６６が鳴動する。２階室内２０４にいる人２０８は、非常灯６４が点滅する方向もしくは警報ブザー６６が鳴る方向に行き、放水ノズル３８を取る。そして、放水ノズル３８による放水を行いながら、階段２１０を下り、更に１階ドア２１２から屋外に避難する。放水を行うことで、火や煙の勢いを弱めることができ、周囲の温度を低下させることもでき、結果的に避難路を確保することが可能となる。
【選択図】　　　図１
0003099095.tif 000002
【実用新案登録請求の範囲】
【請求項１】
　煙を検知するための煙検知器，
　少なくとも避難を行う間放水を続行できる程度の量の水を蓄えた水タンク，
　該水タンクの水を吸い込んで吐き出す送水ポンプ，
　避難時に水を放出する放水ノズル，
　該放水ノズルを前記送水ポンプの吐出側に接続するホースであって、避難路に相当する長さを有する送水ホース，
　前記煙検知器によって煙が検知されたときに、前記送水ポンプを駆動して前記放水ノズルから放水可能な状態とするための検知駆動装置，
を備えたことを特徴とする放水装置。
【請求項２】
　前記検知駆動装置が、手動で前記送水ポンプを駆動するための手動スイッチを備えたことを特徴とする請求項１記載の放水装置。
【請求項３】
　前記検知駆動装置が、
　前記煙検知器による煙の誤検知を防止する誤検知防止装置，
　前記送水ポンプの吐出し側に設けられており、前記送水ポンプとともに駆動される電磁弁，
を備えたことを特徴とする請求項１又は２のいずれかに記載の放水装置。
【請求項４】
　前記煙検知器によって煙が検知されたときに動作する警報ブザーもしくは非常灯の少なくとも一方を備えたことを特徴とする請求項１〜３のいずれかに記載の防水装置。
【請求項５】
　煙を検知するための煙検知器，
　少なくとも避難を行う間放水を続行できる程度の量の水を蓄えた水タンク，
　該水タンクの水を吸い込んで吐き出す送水ポンプ，
　避難時に水を放出する放水ノズル，
　該放水ノズルを前記送水ポンプの吐出側に接続するホースであって、避難路に相当する長さを有する送水ホース，
　前記煙検知器によって煙が検知されたときに、前記送水ポンプを駆動して前記放水ノズルから放水可能な状態とするための検知駆動装置，
　前記煙検知器によって煙が検知されたときに動作する警報ブザーもしくは非常灯の少なくとも一方，
を備えており、
　前記検知駆動装置が、
　前記煙検知器による煙の誤検知を防止する誤検知防止装置，
　前記送水ポンプの吐出し側に設けられており、前記送水ポンプとともに駆動される電磁弁，
　手動で前記送水ポンプ及び前記電磁弁を駆動するための手動スイッチ，
を備えたことを特徴とする放水装置。
【考案の詳細な説明】
【技術分野】
【０００１】
　本考案は放水装置に関し、例えば火災発生時の建物からの避難にも好適な放水装置に関するものである。
【背景技術】
【０００２】
　火災現場においては、もちろん火災そのものによって死傷に至る場合があるが、むしろ煙によって避難路を見失い、避難が遅れて命を落としてしまうケースも多い。最近の建築物は多種多様な材料が使用されており、内装材に至っては火災発生時に多量の煙が出るようなものも多い。特に、高齢者や身体障害者の場合、火災の発生に気づかず、結果的に逃げ遅れてしまう場合がある。夜間の就寝中の場合はなおさらである。
【０００３】
　従来の煙対策用設備としては、例えば下記特許文献１に記載された遮煙装置及び遮煙方法がある。これは、避難上に影響を及ぼすことなく、消火、救助活動に支障のない形で、被災者の安全を確保するような遮煙機能を発揮することを目的としたもので、空間を仕切るようなウオータミストあるいは噴水による水幕の噴射により煙の流れが床面に押し下げられるようになっている。
【特許文献１】特開２００２−１１３１２１
【考案の開示】
【考案が解決しようとする課題】
【０００４】
　しかしながら、上述した従来技術は、高層ビルなどの大規模な建築物に適用することを前提とするもので、装置構成が大規模となり、一般家庭に導入することはコスト的にも困難である。
【０００５】
　本考案は、以上の点に鑑みてなされたもので、その目的は、火災の発生，特に煙の発生を検知して知らせるとともに、簡便な操作で放水を行うことができ、煙から避難路を良好に確保することである。他の目的は、特に夜間ないし就寝時における火災発生に対して迅速な避難を可能とすることである。
【課題を解決するための手段】
【０００６】
　前記目的を達成するため、本考案は、煙を検知するための煙検知器，少なくとも避難を行う間放水を続行できる程度の量の水を蓄えた水タンク，該水タンクの水を吸い込んで吐き出す送水ポンプ，避難時に水を放出する放水ノズル，該放水ノズルを前記送水ポンプの吐出側に接続するホースであって、避難路に相当する長さを有する送水ホース，前記煙検知器によって煙が検知されたときに、前記送水ポンプを駆動して前記放水ノズルから放水可能な状態とするための検知駆動装置，を備えたことを特徴とする。本考案の前記及び他の目的，特徴，利点は、以下の詳細な説明及び添付図面から明瞭になろう。
【考案の効果】
【０００７】
　本考案によれば、次のような効果がある。
（1)火災の発生，特に煙の発生を検知して知らせるとともに、簡便な操作で放水を行うことができ、煙から避難路を良好に確保することができる。
（2)特に夜間ないし就寝時における火災発生に対して迅速な避難が可能となる。
【考案を実施するための最良の形態】
【０００８】
　以下、本考案を実施するための最良の形態を、実施例に基づいて詳細に説明する。
【実施例１】
【０００９】
　図１(A)には、本考案にかかる放水装置の一実施例が示されている。同図において、放水装置１０は、水を貯めるための水タンク１２を備えている。この水タンク１２には、水位計１４，蛇口１６，給水口（図示せず）がそれぞれ設けられている。本考案は、消火を目的としたものではなく、あくまで火災発生現場からの非難を目的としたものであるので、水タンク１２に蓄える水の量は、少なくとも、避難を行う間放水を続行できる程度であれば十分である。また、既に一般家庭に置かれている災害用の貯水タンクを利用するようにしてもよい。
【００１０】
　水タンク１２の水送出口１８は、送水ホース２０を介してポンプ装置３０の送水ポンプ３２の吸込み口に接続されている。送水ポンプ３２の吐出し口は、電磁弁３４，送水ホース３６を介して放水ノズル３８に接続されている。送水ホース３６としては、少なくとも放水ノズル３８を持って所定の避難路から屋外に避難できる程度の長さを有するものを用意する。放水ノズル３８としては、公知の各種のものを使用してよい。特に、レバーを引くだけで放水可能なガン方式のものや、直射，拡散，シャワー，霧などの放水形態を簡単に切り換えられるものが好適である。霧状に放水を行うと、遮煙効果が期待できる。
【００１１】
　更に、送水ポンプ３２には、調圧装置４０が設けられており、その吐出し側は、余水ホース４２を介して水タンク１２に接続されている。送水ポンプ３２は、ゴムパッド４４などの振動吸収材を介して筐体４６内に設置されている。また、送水ホース３６は、リール３７に巻回して収納されている。
【００１２】
　これらのうち、水タンク１２内の水は、送水ポンプ３２によってタンク内から吸込まれるようになっている。電磁弁３４は、通常は「閉」の状態にあるものの通電によって「開」となり、送水ポンプ３２から供給された水が放水されるようになっている。調圧装置４０は、送水ポンプ３２内の水圧を調整するためのもので、所定値以上となったときは送水ポンプ３２内の水を余水ホース４２側に逃がすことで圧力調整を行う。
【００１３】
　以上のようなポンプ装置３０の上部には、検知装置６０が設けられている。検知装置６０は、天井などに取り付けられる煙検知器（煙感知器）６２，非常灯６４，警報ブザー６６，検知駆動回路７０によって構成されている。図２には、検知装置６０の回路構成が示されている。同図において、コンセント（１００Ｖの商用電源）に接続されるプラグ７２は、交流を直流に変換する電源回路７４の入力側に接続されている。電源回路７４の出力は例えば直流２４Ｖとなっており、検知リレー７６のリレーコイル７６Ａ，煙検知器６２，リセットボタン７８が直列に接続されている。これらのうち、煙検知器６２としては、光電式あるいはイオン化式のスポット型のものが使用される。リセットボタン７８は、通常は「閉」（ＯＮ）の状態にあり、リセット時に「開」（ＯＦＦ）となる。
【００１４】
　上述したリレーコイル７６Ａへの通電によって駆動されるリレー接点７６Ｂには起動タイマー８２のタイマーカウンタ８２Ａが直列に接続されており、これらリレー接点７６Ｂ及びタイマーカウンタ８２Ａはプラグ７２に接続されている。タイマーカウンタ８２Ａには非常灯６４及び警報ブザー６６が並列に接続されている。プラグ７２には、起動タイマー８２のタイマー接点８２Ｂと起動リレー８６のリレーコイル８６Ａの直列回路が接続されている。更にプラグ７２には、送水ポンプ３２や電磁弁３４と起動リレー８６のリレー接点８６Ｂ，８６Ｃが直列に接続されている。
【００１５】
　これらのうち、検知リレー７６の接点７６Ｂは、通常は「開」（ＯＦＦ）であり、リレーコイル７６Ａへの通電によって「閉」（ＯＮ）となる。起動タイマー８２のタイマーカウンタ８２Ａは、本例では通電開始から２秒のカウントを終了した後にタイマー接点８２Ｂを駆動する。タイマー接点８２Ｂは、通常は「開」（ＯＦＦ）であり、タイマーカウンタ８２Ａによる駆動によって「閉」（ＯＮ）となる。起動リレー８６の接点８６Ｂ，８６Ｃは、通常は「開」（ＯＦＦ）であり、リレーコイル８６Ａへの通電によって「閉」（ＯＮ）となる。
【００１６】
　以上の各装置は、部屋の隅に置く，天井に吊り下げる，ベランダに設置するなど、適宜の場所に設置する。就寝時は、火災発生時に気づくのが遅れて逃げ遅れる可能性が高いので、少なくともリール３７については寝室に設置すると好都合である。
【００１７】
　次に、図３の動作流れ図も参照しながら、上記実施例の動作を説明する。通常の火災が発生していない状態では、煙検知器６２が煙を検知しないため、リレーコイル７６Ａに通電が行われない。このため、リレー接点７６Ｂは「開」（ＯＦＦ）であり、非常灯６４や警報ブザー６６も動作しない。また、起動タイマー８２，起動リレー８６も動作しない。従って、送水ポンプ３２も動作せず、電磁弁３４は「閉」の状態となって、放水ノズル３８を操作しても水が放水されることはない。
【００１８】
　火災により煙が発生し、あるいは火災の前兆として煙が発生すると（図３，ステップＳ１０）、それが煙検知器６２によって検知され、検知リレー７６が動作する（ステップＳ１２）。すなわち、リレーコイル７６Ａに通電が行われるとともに、リレー接点７６Ｂが「閉」（ＯＮ）となる。すると、非常灯６４及び警報ブザー６６に通電が行われ、非常灯６４が点滅するとともに、警報ブザー６６が鳴動する（ステップＳ１４）。
【００１９】
　更に、起動タイマー８２に対しても通電が行われる。このため、タイマーカウンタ８２Ａが２秒のカウントを開始する（ステップＳ１４）。この場合において、発生した煙がタバコなどによる一時的なものであるときは、煙検知器６２による煙検知も一時的であり、検知リレー７６のリレーコイル７６Ａに対する通電も瞬時に停止する。このため、リレー接点７６Ｂが「開」（ＯＦＦ）となり、タイマーカウンタ８２Ａは２秒のカウント動作を行うことなく停止する（ステップＳ１６のNo）。従って、タイマー接点８２Ｂが「閉」（ＯＮ）とならず、送水ポンプ３２や電磁弁３４の駆動は行われない。また、非常灯６４や警報ブザー６６に対する通電も停止する。すなわち、装置は初期状態に戻る（ステップＳ１７）。
【００２０】
　一方、火災など煙の発生が継続しているときは、タイマーカウンタ８２Ａが２秒間のカウントを終了する（ステップＳ１６のYes）。このため、タイマー接点８２Ｂが「閉」（ＯＮ）となり、起動リレー８６が動作する（ステップＳ１８）。以上のように、起動タイマー８２は、タバコなどの一時的な煙の検知を排除するとともに、火災となるような継続的な煙の発生を良好に検知する誤検知防止装置として動作する。
【００２１】
　起動リレー８６が動作してリレーコイル８６Ａに通電が行われ、リレー接点８６Ｂ，８６Ｃが「閉」（ＯＮ）となる。これによって送水ポンプ３２，電磁弁３４に対する通電が開始される。すなわち、電磁弁３４が開くとともに、送水ポンプ３２によって水タンク１２内の水が送水ホース３６を介して放水ノズル３８に供給されるようになる（ステップＳ２０）。
【００２２】
　放水ノズル３８は、リール３７に巻回されているので、放水ノズル３８をリール３７から引き出しつつ放水を行うことができる。すなわち、放水を行いながら非難が可能となる（ステップＳ２２）。
【００２３】
　図１(B)には、その様子が示されている。同図の例では、水タンク１２が建物２００の２階ベランダ２０２に設置されている。また、ポンプ装置３０及び検知装置６０は、いずれも２階室内２０４の窓際に設置されている。リール３７は、２階室内２０４の天井２０６であって非常灯６４及び警報ブザー６６の近傍に吊るされており、煙検知器６２は、１階室内２０３の天井２０５と、２階室内２０４の天井２０６にそれぞれ設置されている。なお、これらの煙検知器６２は、図２の回路上では並列接続される。
【００２４】
　火災が発生していずれかの煙検知器６２が煙を検知すると、上述した動作によって非常灯６４が点滅するとともに、警報ブザー６６が鳴動する。２階室内２０４にいる人２０８は、非常灯６４が点滅する方向もしくは警報ブザー６６が鳴る方向に行き、放水ノズル３８を取る。そして、放水ノズル３８による放水を行いながら、階段２１０を下り、更に１階ドア２１２から屋外に避難する。放水を行うことで、火や煙の勢いを弱めることができるし、周囲の温度を低下させることもでき、結果的に避難路を確保することが可能となる。
【００２５】
　本装置使用後、その動作を停止するときは、リセットボタン７８を押せばよい。これにより、検知リレー７６のリレーコイル７６Ａに対する通電が停止し、元の状態に復旧する。
【００２６】
　このように、本実施例によれば、煙の発生を検知するので、火災発生の初期の段階で対処することができ、簡便な操作で放水を行いながら火災から避難することができる。特に、水を霧状に噴霧することで遮煙効果も期待でき、煙の吸込みによる被害の防止ないしは低減，煙による視界不良を抑制して避難路の確保が可能となる。更に、光のみならず音によっても火災発生を知らせるので、夜間ないし就寝時においても的確に対処して避難することができる。
【００２７】
　本考案には数多くの実施例があり、以上の開示に基づいて多様に改変することが可能である。例えば、次のようなものも含まれる。
（1)前記実施例では、本考案の放水装置を火災発生時の非難路確保のために使用したが、ガーデニングにおける散水や洗車などに利用してもよい。この場合、図２に示した手動スイッチ１００を「閉」（ＯＮ）にすれば、検知リレー７６が動作し、放水可能な状態となる。使用後は、手動スイッチ１００を「開」（ＯＦＦ）とする。
【００２８】
　（2)蛇口１６が、水タンク１２内の水を取り出すために設けられている。これを利用して、水タンク１２内に蓄えられている水を災害時に使用してもよい。
【００２９】
　（3)前記実施例では、煙検知器６２を２つとしたが、必要に応じて１箇所のみに設置してもよいし、更に多数設置することを妨げるものでもない。
【００３０】
　（4)前記実施例では、非常灯６４及び警報ブザー６６の両方を設置したが、いずれか一方のみとしてもよいし、多数設けるようにしてもよい。また、これらの非常灯６４及び警報ブザー６６も、起動タイマー８２による一定時間のカウントの後に動作するようにしてもよい。この場合、非常灯６４及び警報ブザー６６は、起動リレー８６のリレーコイル８６Ａと並列に接続すればよい。更に、前記実施例では、送水ポンプ３２と電磁弁３４を同時に駆動するようにしたが、送水ポンプ３２を先に駆動し、ある程度水圧が上がってから電磁弁３４を開くようにしてもよい。
【００３１】
　（5)送水ホース３６を避難用のロープ代わりとして使用することもできる。例えば、図１(B)において、送水ホース３６をリール３７から引き出すとともに、２階ベランダ２０２から地面２２０に投げ、この送水ホース３６を利用して２階ベランダ２０２から地面２２０に降りるようにする。
【００３２】
　（6)前記実施例では、商用電源を使用したが、バッテリで駆動できるように構成してもよい。バッテリとしては、少なくとも避難を完了するまでの間放水を続けることができる程度の電力容量があるものを使用する。上述したように、本考案は、煙発生段階における非難を目的としたものであり、商用電源が正常に機能している場合が多いと思われるが、バッテリ駆動とすることで、仮に商用電源が機能しない場合でも、本装置の動作を確保することができる。
【００３３】
　（7)前記実施例では、水タンク１２内に水を貯めるようにしたが、水道から水タンク１２内に自動的に水が補給できるようにしてもよい。具体的には、水位計１４が一定レベル以下の水位を検知したときに、電磁弁を開いて水道水が水タンク１２内に補給されるようにする。
【００３４】
　（8)前記実施例では、送水ホース３６をリール３７に巻回したが、他の方法で送水ホース３６を収納してもよい。例えば、ケース内につづら折して収納するなどである。
【産業上の利用可能性】
【００３５】
　本考案は、煙から避難路を良好に確保することができるので、特に夜間ないし就寝時における一般の住宅で火災が発生したときの迅速な避難に好適である。
【図面の簡単な説明】
【００３６】
【図１】本考案にかかる放水装置の一実施例を示す図である。(A)は装置構成を示し、(B)は使用状態を示す。
【図２】前記実施例の検知装置の一例を示す回路図である。
【図３】前記実施例の動作を示す流れ図である。
【符号の説明】
【００３７】
１０：放水装置
１２：水タンク
１４：水位計
１６：蛇口
１８：水送出口
２０：送水ホース
３０：ポンプ装置
３２：送水ポンプ
３４：電磁弁
３６：送水ホース
３７：リール
３８：放水ノズル
４０：調圧装置
４２：余水ホース
４４：ゴムパッド
４６：筐体
６０：検知装置
６２：煙検知器
６４：非常灯
６６：警報ブザー
７０：検知駆動回路
７２：電源プラグ
７４：電源回路
７６：検知リレー
７６Ａ：リレーコイル
７６Ｂ：リレー接点
７８：リセットボタン
８２：起動タイマー
８２Ａ：タイマーカウンタ
８２Ｂ：タイマー接点
８６：起動リレー
８６Ａ：リレーコイル
８６Ｂ，８６Ｃ：リレー接点
１００：手動スイッチ
２００：建物
２０２：２階ベランダ
２０３：１階室内
２０４：２階室内
２０５，２０６：天井
２０８：避難しようとする人
２１０：階段
２１２：１階ドア
２２０：地面
【図１】
0003099095.tif 000003
【図２】
0003099095.tif 000004
【図３】
0003099095.tif 000005
【手続補正書】
【提出日】平成15年7月30日(2003.7.30)
【手続補正１】
【補正対象書類名】実用新案登録請求の範囲
【補正対象項目名】請求項４
【補正方法】変更
【補正の内容】
【請求項４】
　前記煙検知器によって煙が検知されたときに動作する警報ブザーもしくは非常灯の少なくとも一方を備えたことを特徴とする請求項１〜３のいずれかに記載の放水装置。